(57)【特許請求の範囲】
【請求項１】
画像形成装置内のいずれかの部位に対して複数の項目の調整を自動実行する自動調整モードの制御を行う制御手段と、
前記制御手段の指示に基づいて調整が自動実行される被調整部位と、
前記制御手段の指示に基づいて各種情報表示を行う表示手段と、
を備え、
前記制御手段は、調整においてエラーが発生した項目が生じた場合であっても、調整動作を停止させずに最終の項目まで調整を自動実行するよう制御し、
前記自動実行した調整動作においてエラーを発生した項目によって影響を受ける項目について、実行した調整の信頼性を前記表示手段に表示するよう制御する、
ことを特徴とする画像形成装置。
【請求項２】
前記制御手段は、前記自動実行した調整動作においてエラーを発生した項目についての表示を前記表示手段に行う、
ことを特徴とする請求項１記載の画像形成装置。
【請求項３】
前記制御手段は、前記自動実行した調整動作においてエラーを発生した項目について、エラー回復のため処理内容の表示を前記表示手段に行う、
ことを特徴とする請求項２記載の画像形成装置。
【請求項４】
前記制御手段は、エラー回復のため処理内容の表示を、回復のための処理を実行する順に前記表示手段に行う、
ことを特徴とする請求項３記載の画像形成装置。
【請求項５】
前記制御手段は、エラー回復のため処理内容の表示を、回復のための処理を実行する作業者に応じた内容で、前記表示手段に行う、
ことを特徴とする請求項３記載の画像形成装置。
【請求項６】
前記制御手段は、前記自動実行した調整動作においてエラーを発生した項目によって影響を受け、実行が困難になるか、あるいは、調整を正しく行えない項目についてはスキップして調整動作を停止させない、
ことを特徴とする請求項１乃至請求項５のいずれか一項に記載の画像形成装置。
【発明の詳細な説明】
【技術分野】
【０００１】
本発明は、画像形成装置内のいずれかの部位に対して複数の項目の調整を自動実行する自動調整モードを備えた画像形成装置に関する。
【背景技術】
【０００２】
感光体に形成したトナー像を記録紙に転写する画像形成装置において、該トナー像を画像データに応じた適正な濃度に形成するべく、各部の電位や現像剤の濃度など各種の調整動作を行うようにしている。
【０００３】
そして、このような調整として、複数の項目の調整を、連続的に自動実行する自動調整モードを備えた画像形成装置が存在している。
このような画像形成装置の複数項目の連続的な調整において、いずれかの項目でエラーが発生すると、その時点で自動調整を中断し、表示部などに図１１のようなエラーコードを表示して動作を停止するように構成されている。
【０００４】
この種の調整の際のエラー表示について、以下の特許文献１に提案がなされている。
【特許文献１】特開２００４−３４１２３１号公報（第１４頁、第１９頁、図６）
【発明の開示】
【発明が解決しようとする課題】
【０００５】
以上の特許文献１記載の発明では、エラー表示の際に、一般利用者とサービスマンとに対して、それぞれ異なるレベルのエラー表示を行うことで、一般利用者の混乱を避けつつ、サービスマンに対しては復旧作業を行いやすくするように、それぞれ配慮している。
【０００６】
しかし、この特許文献１でも、また、従来の画像形成装置であっても、エラーが発生した場合に装置の調整動作を中断して動作を停止するように構成されている。
この場合、エラーが表示された項目について修復を施したとしても、他にも障害を内在していて再び別項目のエラーが発生して動作が中断することがあり得る。
【０００７】
すなわち、複数の障害を有する場合には、エラー停止、修復、動作再開、エラー停止、修復、動作再開、〜、というように、連続して修復とエラー停止状態とを交互にを繰り返す恐れがある。
【０００８】
この場合には、画像形成装置が動作できない時間、すなわち装置停止時間が増加し、利用者に不利益を与えてしまうことになる。
しかしながら、複数項目の調整を連続して行う画像形成装置では、このような動作を行うことしか考えられておらず、停止時間に配慮された適切な技術も存在していなかった。
【０００９】
本発明は、以上のような課題を解決するためになされたものであって、画像形成装置の複数項目の連続的な自動調整において、いずれか複数の項目でエラーが発生しても装置停止時間による不便さを利用者に対して与えることがない画像形成装置を実現することを目的とする。
【課題を解決するための手段】
【００１０】
以上の課題を解決する本発明は、以下に記載するようなものである。
（１）請求項１記載の発明は、画像形成装置内のいずれかの部位に対して複数の項目の調整を自動実行する自動調整モードの制御を行う制御手段と、前記制御手段の指示に基づいて調整が自動実行される被調整部位と、前記制御手段の指示に基づいて各種情報表示を行う表示手段と、を備え、前記制御手段は、調整においてエラーが発生した項目が生じた場合であっても、調整動作を停止させずに最終の項目まで調整を自動実行するよう制御し、前記自動実行した調整動作においてエラーを発生した項目によって影響を受ける項目について、実行した調整の信頼性を前記表示手段に表示するよう制御する、ことを特徴とする画像形成装置である。
【００１１】
（２）請求項２記載の発明は、前記制御手段は、前記自動実行した調整動作においてエラーを発生した項目についての表示を前記表示手段に行う、ことを特徴とする請求項１記載の画像形成装置である。
【００１２】
（３）請求項３記載の発明は、前記制御手段は、前記自動実行した調整動作においてエラーを発生した項目について、エラー回復のため処理内容の表示を前記表示手段に行う、ことを特徴とする請求項２記載の画像形成装置である。
【００１３】
（４）請求項４記載の発明は、前記制御手段は、エラー回復のため処理内容の表示を、回復のための処理を実行する順に前記表示手段に行う、ことを特徴とする請求項３記載の画像形成装置である。
【００１４】
（５）請求項５記載の発明は、前記制御手段は、エラー回復のため処理内容の表示を、回復のための処理を実行する作業者に応じた内容で、前記表示手段に行う、ことを特徴とする請求項３記載の画像形成装置である。
【００１５】
（６）請求項６記載の発明は、前記制御手段は、前記自動実行した調整動作においてエラーを発生した項目によって影響を受け、実行が困難になるか、あるいは、調整を正しく行えない項目についてはスキップして調整動作を停止させない、ことを特徴とする請求項１乃至請求項５のいずれか一項に記載の画像形成装置である。
【発明の効果】
【００１７】
本発明によると以下に列記するような効果が得られる。
（１）請求項１記載の発明では、画像形成装置内のいずれかの部位に対して複数の項目の調整を自動実行する自動調整モードの制御において、調整においてエラーが発生した項目が生じた場合であっても、そのエラーによって調整動作を停止させずに、最終の項目まで調整を自動実行するよう制御する。
【００１８】
すなわち、一連の複数項目の調整に関して複数の障害を有する場合であっても、エラーが発生しても自動調整モードを中断せずに実行することで、エラー停止、修復、動作再開、エラー停止、修復、動作再開、〜、というように、連続して修復とエラー停止状態とを交互にを繰り返す動作がなくなり、画像形成装置の複数項目の連続的な自動調整において複数の項目でエラーが発生しても装置停止時間による不便さを利用者に対して与えることがなくなる。
また、自動実行した調整動作においてエラーを発生した項目によって影響を受ける項目について、実行した調整の信頼性を制御手段が表示手段に表示することにより、画像形成装置の複数項目の連続的な自動調整において複数の項目でエラーが発生しても装置停止時間による不便さを利用者に対して与えることがなくなり、さらに、実行した調整の信頼性を表示するため、全体として意味のある調整が連続して実行されることになる。
【００１９】
（２）請求項２記載の発明では、自動実行した調整動作においてエラーを発生した項目についての表示を制御手段が表示手段に行うことにより、画像形成装置の複数項目の連続的な自動調整において複数の項目でエラーが発生しても装置停止時間による不便さを利用者に対して与えることがなくなり、その際に発生した複数項目のエラーの内容を後に確認することが可能になる。
【００２０】
（３）請求項３記載の発明では、自動実行した調整動作においてエラーを発生した項目について、エラー回復のため処理内容の表示を制御手段が表示手段に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順を表示手段において確認することが可能になる。
【００２１】
（４）請求項４記載の発明では、エラー回復のため処理内容の表示を、回復のための処理を実行する順に制御手段が表示手段に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順をその回復処理順に表示手段において確認して回復処理を実行することが可能になる。
【００２２】
（５）請求項５記載の発明では、エラー回復のため処理内容の表示を、回復のための処理を実行する作業者に応じた内容で、制御手段が表示手段に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順を、作業者のスキルに応じて、表示手段において確認することが可能になる。
【００２３】
（６）請求項６記載の発明では、自動実行した調整動作においてエラーを発生した項目によって影響を受け、実行が困難になるか、あるいは、調整を正しく行えない項目については、スキップすることで調整動作を停止させないように制御手段が制御しており、これにより、画像形成装置の複数項目の連続的な自動調整において複数の項目でエラーが発生しても装置停止時間による不便さを利用者に対して与えることがなくなり、さらに、単純な強制実行でないため、全体として意味のある調整が連続して実行されることになる。
【発明を実施するための最良の形態】
【００２５】
以下、図面を参照して本発明を実施するための最良の形態（実施形態）を詳細に説明する。まず、本実施形態の画像形成装置１００の第１の実施形態の構成を、図１に基づいて詳細に説明する。
【００２６】
なお、この実施形態では、画像形成装置１００の特徴に関する構成要件を中心に説明する。したがって、画像形成装置として一般的であり、周知となっている構成要件については省略している。
【００２７】
制御部１０１は画像形成の各種制御を行う制御部であり、本実施形態では特に、画像形成装置内のいずれかの部位に対して複数の項目の調整を自動実行する自動調整モードの制御を行うことが可能であり、調整においてエラーが発生した項目が生じた場合であっても、調整動作を停止させずに最終の項目まで調整を自動実行するよう制御するように構成されている。
【００２８】
記憶部１０２は各種データを記憶する記憶手段であり、自動調整に関する調整項目のデータやエラー時のデータを記憶する機能を有する。
操作表示部１０３は使用者が各種操作を行う操作パネルと、使用者に対して各種情報を表示する表示パネルとを備えて構成されている。
【００２９】
スキャナ部１０５は原稿を読み取って画像データを生成し、後述する画像処理部１０７に伝達する読取手段である。なお、このスキャナ部１０５は、画像形成装置が複写機である場合に備えるものであり、画像形成装置がプリンタの場合には備えることを必要としない。
【００３０】
画像処理部１０７はスキャナ部１０５で生成された画像データや外部機器からの画像データに所定の画像処理を施して、後述するプリントエンジン１０９に伝達する画像処理手段である。
【００３１】
プリントエンジン１０９は供給される画像データに応じて記録紙上に可視像を形成して出力する画像形成部である。
なお、このプリントエンジン１０９は、ベルト状の中間転写体を備え、各色の感光体から該中間転写体に画像データに応じた可視像を転写して形成し、該可視像を記録紙に転写する画像形成装置を一例としているが、これに限定されるものではない。
【００３２】
以下、プリントエンジン１０９については、図１のブロック図と図３の断面構成図とを参照して説明を行う。
給紙部１１０は所定のサイズの記録紙が載置されており、この記録紙は搬送部１１５により画像形成のために送り出される。
【００３３】
露光部１２０は電子写真方式の画像形成のために画像データに応じた光ビームを後述する感光体部に照射するものであり、カラー画像形成の場合には、各色毎の露光部１２０Ｙ〜１２０Ｋを備えて構成されている。
【００３４】
感光体部１３０は露光部１２０により照射された光ビームにより潜像が形成され、後述する現像部によりトナー像などの可視像が形成される。なお、カラー画像形成の場合には各色毎の感光体部１３０Ｙ〜１３０Ｋを備えて構成されている。なお、この実施形態では、複数の感光体を、感光体部１３０と呼ぶ。
【００３５】
感光体駆動部１３５は感光体部１３０を構成する複数の感光体を回転駆動する。なお、この実施形態では、制御部１０１の指示に基づいて感光体駆動部１３５が複数の各感光体を回転位相が揃うように所定の状態で回転駆動すると共に、この所定の状態の回転駆動を実現するために所定の位置の停止を実行する。
【００３６】
現像部１４０は感光体部１３０に生成された潜像を可視像に現像するものであり、カラー画像形成の場合には各色毎の現像部１４０Ｙ〜１４０Ｋを備えて構成されている。
中間転写部１５０は感光体部１３０に生成されたトナー像が転写され、その後に記録紙上に転写するものであり、ベルト状の中間転写体１５１と、該中間転写体１５１を駆動するローラ１５２，１５３などを備えて構成されている。なお、カラー画像形成の場合には、各色の感光体部１３０Ｙ〜１３０における可視像が位置合わせされた状態で重ねあわされる。
【００３７】
転写部１６０は感光体部１３０の可視像を中間転写部１５０に転写する際の転写極であり、カラー画像形成の場合には、各色の転写部１６０Ｙ〜１６０Ｋを備えて構成されている。また、転写部１７０は中間転写体１５１上の可視像を記録紙に転写する際の転写極である。
【００３８】
定着部１８０は可視像が転写された記録紙を熱と圧力とによって定着させる定着ローラと加熱ローラとを備えた定着手段である。
なお、図示されていないが、各部の帯電電位を検知するセンサ、トナー濃度を検知するセンサ、色ずれを検知するセンサなどが配置されており、検知結果は、制御部１０１に伝達されるよう構成されている。
【００３９】
〔第一の実施形態〕
以下、図２のフローチャート、図４以降の説明図を参照し、本実施形態の画像形成装置の動作説明を行う。
【００４０】
まず、制御部１０１は、画像形成装置１００の電源オン時などのタイミングで、画像形成装置１００内の予め定められた部位（被調整部位）に対して複数の項目の調整を自動実行する自動調整モードを開始する。
【００４１】
この場合、制御部１０１は記憶部１０２の記憶内容を参照し、自動調整モードで実行すべき調整項目を選択する（図２中のステップＳ２０１）。
そして、選択した調整項目について、制御手段１０１は調整を実行する（図２中のステップＳ２０２）。この調整では、帯電電位を検知して電位を調整したり、センサの検知結果を構成したり、形成する画像の濃度を調整したりといった、予め定められた項目が存在している。
【００４２】
たとえば、カラー画像形成装置の場合には、各色毎に画像調整を行い、その後、全色でカラーレジスト調整、カラーセンサ補正を実行する。また、各色の画像調整としては、各種センサ（ガンマセンサ、Ｄｍａｘセンサ）などのセンサ補正、感光体の帯電電位補正、露光電位補正、ガンマ補正、濃度補正、などが該当する。
【００４３】
ここで、調整の実行（図２中のステップＳ２０２）により全ての項目の自動調整が完了した場合には（図２中のステップＳ２０３でＹＥＳ）、制御部１０１は、この自動調整の処理を終了する（図２エンド）。
【００４４】
ここで、調整の実行（図２中のステップＳ２０２）により全ての項目の自動調整が完了しておらず（図２中のステップＳ２０３でＮＯ）、調整の実行（図２中のステップＳ２０２）においてエラーの発生がなければ（図２中のステップＳ２０４でＮＯ）、制御部１０１は、記憶部１０２の記憶内容を参照し、自動調整モードで実行すべき次の調整項目を選択し（図２中のステップＳ２０１）、選択した調整項目についての調整を実行する（図２中のステップＳ２０２）。以下、この動作を、全ての項目について調整を完了する（図２中のステップＳ２０３でＹＥＳ）まで繰り返す。
【００４５】
ここで、調整の実行（図２中のステップＳ２０２）においてエラーが発生した場合（図２中のステップＳ２０４でＹＥＳ）、制御部１０１は、該エラーにおける内容や状態（エラーコード、エラー名称、エラー時の検出値、制御状態など）を取得して記憶部１０２に記憶させる（図２中のステップＳ２０５）。
【００４６】
そして、制御部１０１は、この調整時のエラー発生によって自動調整モードを中断させることなく、記憶部１０２を参照して自動調整モードで実行すべき次の調整項目を選択する（図２中のステップＳ２０６）。
【００４７】
なお、ここで、制御部１０１は、選択された次の調整項目に対してエラーが与える影響を判断する（図２中のステップＳ２０８）。このエラーが与える影響については、予め記憶部１０２に、各エラーとその状態とが影響を与える他の調整項目の一覧をテーブル形式で備えておく。
【００４８】
この場合、エラーの影響によって、他の各調整項目について、影響大のため実行不可（影響大のため、調整で良好な結果を得ることができないため、調整を実行する意味がない）、影響中程度で実行可（信頼性低下）、影響小のため実行可（信頼性低下せず）、影響なし実行可（信頼性低下せず）、などを格納しておくことが望ましい。
【００４９】
ここで、制御部１０１は、選択された調整項目に対してエラーが与える影響の判断結果を記憶部１０２に記憶させておく（図２中のステップＳ２０９）。なお、このエラーによる影響判断と、その判断結果の記憶については、エラー発生後の各調整項目について実行することが望ましい。
【００５０】
そして、制御部１０１は、エラーが与える影響が大で実行不可の場合には（図２中のステップＳ２１０でＹＥＳ）、選択された調整項目を省略し（図２中のステップＳ２１１）、自動調整モードを中断させることなく、記憶部１０２を参照して自動調整モードで実行すべき次の調整項目を選択する（図２中のステップＳ２０６）。以下、この調整項目の選択とエラーの影響判断の動作を、残りの全ての項目について調整を完了する（図２中のステップＳ２０７でＹＥＳ）まで繰り返す。
【００５１】
一方、制御部１０１は、エラーが与える影響が大でなく実行可の場合には（図２中のステップＳ２１０でＮＯ）、選択した調整項目についての調整を実行する（図２中のステップＳ２１２）。以下、この調整項目の選択とエラーの影響判断の動作を、残りの全ての項目について調整を完了する（図２中のステップＳ２０７でＹＥＳ）まで繰り返す。
【００５２】
そして、この調整項目の選択とエラーの影響判断の動作を、残りの全ての項目について繰り返して調整を完了した場合（図２中のステップＳ２０７でＹＥＳ）、制御部１０１は、記憶部１０２に記憶させておいた該エラーにおける内容や状態（エラーコード、エラー名称、エラー時の検出値、制御状態など）、エラーによる調整項目への影響の判断結果（実行せずにスキップした調整項目、実行したものの信頼性が低下した調整項目など）、エラー回復のため処理内容を、操作表示部１０３に表示させる（図２中のステップＳ２１３）。
【００５３】
図４は操作表示部１０３への表示の一例であり、表示画面３０１において、自動調整中にエラー発生の旨の表示３１１と、エラー発生調整項目数の表示３１２と、エラー内容の表示３２１〜３２４と、エラー回復対処方法表示のタブ３５１と、が表示されている。この場合、エラー回復対処方法表示のタブ３５１を利用者が操作することで、各エラーについての対処方法が、操作表示部１０３に表示される。
【００５４】
なお、この対処方法を表示するにあたって、制御部１０１は、利用者の画像形成装置に対する権限を確認するため、パスワードの確認、指紋入力、特定キー入力、カードキー確認などを行っても良い。このようにすることで、サービスマンあるいは権限のある利用者に対してのみエラー回復対処方法を知らせることができる。
【００５５】
図５は操作表示部１０３への表示の一例であり、表示画面３０１において、自動調整中にエラー発生の旨の表示３１１と、エラー発生調整項目数の表示３１２と、エラー内容の表示３２１〜３２４と、各エラーに対するエラー回復対処方法表示のタブ３３１〜３３４と、対処済みか未対処かのステータス表示３４１〜３４４と、が表示されている。この場合、各エラーに対するエラー回復対処方法表示のタブ３３１〜３３４を利用者が操作することで、各エラーについての対処方法が、操作表示部１０３に表示される。
【００５６】
この場合、制御部１０１は、図４や図５におけるエラー回復対処方法表示のタブについて、エラー回復のために実行すべき順番に表示することが望ましい。これにより、サービスマンあるいは権限のある利用者は、表示画面の上から順に操作することで、正しい順序でエラー回復対処方法を実行することができる。
【００５７】
なお、制御部１０１はパスワードの確認、指紋入力、特定キー入力、カードキー確認などを行った場合に、図４の表示から図５の表示に切り換えても良い。このようにすることで、サービスマンあるいは権限のある利用者に対してのみエラー回復対処方法を知らせることができる。
【００５８】
さらに、図４や図５に加え、図６のように、スキップした調整項目が存在する場合には、スキップした調整項目が存在する旨の表示３６１と、スキップした調整項目の内容表示３６２を、制御部１０１は操作表示部１０３に表示しても良い。
【００５９】
また、図示していないが、実行した調整項目であっても、エラーによって信頼性が低下したものについては、信頼性についての表示を行っても良い。また、実行した全ての調整項目について、エラーの与える影響や信頼性を表示しても良い。なお、以上の場合で、発生したエラーが４の場合を例示したが、これに限定されるものではない。
【００６０】
以上説明したように、一連の複数項目の調整に関して複数の障害を有する場合であっても、エラーが発生しても自動調整モードを中断せずに実行することで、エラー停止、修復、動作再開、エラー停止、修復、動作再開、〜、というように、連続して修復とエラー停止状態とを交互にを繰り返す動作がなくなり、画像形成装置の複数項目の連続的な自動調整において複数の項目でエラーが発生しても装置停止時間による不便さを利用者に対して与えることがなくなる。
【００６１】
そして、自動実行した調整動作においてエラーを発生した項目についての表示を制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容を後に確認することが可能になる。
【００６２】
また、自動実行した調整動作においてエラーを発生した項目によって影響を受け、実行が困難になるか、あるいは、調整を正しく行えない項目については、スキップすることで調整動作を停止させないように制御部１０１が制御しており、これにより、画像形成装置の複数項目の連続的な自動調整において複数の項目でエラーが発生しても装置停止時間による不便さを利用者に対して与えることがなくなり、さらに、単純な強制実行でないため、全体として意味のある調整が連続して実行されることになる。
【００６３】
また、自動実行した調整動作においてエラーを発生した項目について、エラー回復のため処理内容の表示を制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順を操作表示部１０３において確認することが可能になる。
【００６４】
また、エラー回復のため処理内容の表示を、回復のための処理を実行する順に制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順をその回復処理順に操作表示部１０３において確認して回復処理を実行することが可能になる。
【００６５】
また、エラー回復のため処理内容の表示を、回復のための処理を実行する作業者に応じた内容で、制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容やエラーからの回復手順を、作業者のスキルに応じて、操作表示部１０３において確認することが可能になる。
【００６６】
また、自動実行した調整動作においてエラーを発生した項目によって影響を受ける項目について、実行した調整の信頼性を制御部１０１が操作表示部１０３に表示することにより、画像形成装置の複数項目の連続的な自動調整において複数の項目でエラーが発生しても装置停止時間による不便さを利用者に対して与えることがなくなり、さらに、実行した調整の信頼性を表示するため、全体として意味のある調整が連続して実行されることになる。
【００６７】
〔第二の実施形態〕
以下、第二の実施形態として、図７と図８の具体例を用いて動作説明を行う。ここでは、各色毎の画像補正、全色の色ずれに関するカラーレジスト補正、全色を検知するカラーセンサ補正の順に、複数の項目の調整を自動実行する自動調整モードについて説明する。
【００６８】
まず、制御部１０１は、画像形成装置１００の電源オン時などのタイミングで、画像形成装置１００内の予め定められた部位（被調整部位）に対して複数の項目の調整を自動実行する自動調整モードを開始する。この場合、制御部１０１は記憶部１０２の記憶内容を参照し、自動調整モードで実行すべき調整項目を選択する。
【００６９】
ここで、制御部１０１は、各色の画像補正として、まず、イエローＹについての画像補整を実行する（図７中のステップＳ７０１）。この色毎の画像補整としては、各色毎の、各種センサ補正、電位補正、露光電位補正、ガンマ補正、濃度補正、などが該当する。
【００７０】
この画像補整として、まず制御部１０１は、ガンマセンサ、Ｄmaxセンサなど、画像の濃度を読み取る各種センサの補正を実行する（図８中のステップＳ８０１）。
このセンサ補正でエラーが発生すれば（図８中のステップＳ８０２でＮＯ）、そのエラーの内容やエラー時の測定値を制御部１０１は記憶部１０２に記憶させる（図８中のステップＳ８０３）。
【００７１】
なお、センサ補正でエラーが生じない場合（図８中のステップＳ８０２でＹＥＳ）だけでなく、エラーが発生した場合（図８中のステップＳ８０２でＮＯ）にも、制御部１０１は、自動調整モードを中断させることなく、自動調整モードで実行すべき次の調整項目として電位補正として電位センサの補正を実行する（図８中のステップＳ８０４）。
【００７２】
この電位補正でエラーが発生すれば（図８中のステップＳ８０５でＮＯ）、そのエラーの内容やエラー時の測定値を制御部１０１は記憶部１０２に記憶させる（図８中のステップＳ８０６）。
【００７３】
なお、電位補正でエラーが生じない場合（図８中のステップＳ８０５でＹＥＳ）だけでなく、エラーが発生した場合（図８中のステップＳ８０５でＮＯ）にも、制御部１０１は、自動調整モードを中断させることなく、自動調整モードで実行すべき次の調整項目として露光電位補正として感光体の帯電電位の補正を実行する（図８中のステップＳ８０７）。
【００７４】
この露光電位補正でエラーが発生すれば（図８中のステップＳ８０８でＮＯ）、そのエラーの内容やエラー時の測定値を制御部１０１は記憶部１０２に記憶させる（図８中のステップＳ８０９）。
【００７５】
なお、露光電位補正でエラーが生じない場合（図８中のステップＳ８０８でＹＥＳ）だけでなく、エラーが発生した場合（図８中のステップＳ８０８でＮＯ）にも、制御部１０１は、自動調整モードを中断させることなく、自動調整モードで実行すべき次の調整項目としてガンマ補正として各濃度のトナー像を形成して適正なガンマ特性が得られるように各部の補正を実行する（図８中のステップＳ８１０）。
【００７６】
このガンマ補正でエラーが発生すれば（図８中のステップＳ８１１でＮＯ）、そのエラーの内容やエラー時の測定値を制御部１０１は記憶部１０２に記憶させる（図８中のステップＳ８１２）。
【００７７】
なお、ガンマ補正でエラーが生じない場合（図８中のステップＳ８１１でＹＥＳ）だけでなく、エラーが発生した場合（図８中のステップＳ８１１でＮＯ）にも、制御部１０１は、自動調整モードを中断させることなく、自動調整モードで実行すべき次の調整項目として濃度補正として所定の濃度のトナー像を形成して適正な濃度特性が得られるように各部の補正を実行する（図８中のステップＳ８１３）。
【００７８】
この濃度補正でエラーが発生すれば（図８中のステップＳ８１４でＮＯ）、そのエラーの内容やエラー時の測定値を制御部１０１は記憶部１０２に記憶させる（図８中のステップＳ８１５）。
【００７９】
このように、各種の補正でエラーが生じない場合だけでなく、エラーが発生した場合にも、制御部１０１は、自動調整モードを中断させることなく、自動調整モードで実行すべき次の調整項目を選択して、画像補整を完了させる（図８中のエンド）。
【００８０】
そして、制御部１０１は、以上の図９の画像補正の処理をイエローＹに続いて、マゼンタＭ、シアンＣ、黒Ｋの各色について順次実行する（図７中のステップＳ７０１、Ｓ７０２、Ｓ７０３、Ｓ７０４）。
【００８１】
この後、制御部１０１は、全色の色ずれに関するカラーレジスト補正を実行する（図７中のステップＳ７０５）。
このカラーレジスト補正でエラーが発生すれば（図７中のステップＳ７０６でＮＯ）、そのエラーの内容やエラー時の測定値を制御部１０１は記憶部１０２に記憶させる（図７中のステップＳＳ７０７）。
【００８２】
なお、カラーレジスト補正でエラーが生じない場合（図７中のステップＳ７０６でＹＥＳ）だけでなく、エラーが発生した場合（図７中のステップＳ７０６でＮＯ）にも、制御部１０１は、自動調整モードを中断させることなく、自動調整モードで実行すべき次の調整項目として、全色を検知するカラーセンサ補正として各色で所定のトナー像を形成して適正な特性が得られるように各部の補正を実行する（図８中のステップＳ７０８）。
【００８３】
このカラーセンサ補正でエラーが発生すれば（図７中のステップＳ７０９でＮＯ）、そのエラーの内容やエラー時の測定値を制御部１０１は記憶部１０２に記憶させる（図７中のステップＳＳ７１０）。
【００８４】
ここで、以上の画像補正（図７中のステップＳ７０１、Ｓ７０２、Ｓ７０３、Ｓ７０４）、カラーレジスト補正（図７中のステップＳ７０５）、カラーセンサ補正（図７中のステップＳ７０８）のいずれでもエラーが発生していない場合には（図７中のステップＳ７１１で、なし）、制御部１０１は、自動調整モードを終了する（図７中のエンド）。
【００８５】
また、以上の画像補正（図７中のステップＳ７０１、Ｓ７０２、Ｓ７０３、Ｓ７０４）、カラーレジスト補正（図７中のステップＳ７０５）、カラーセンサ補正（図７中のステップＳ７０８）の一連の自動調整モードを実行し、その中のいずれかでエラーが発生している場合には（図７中のステップＳ７１１で、あり）、制御部１０１は、記憶部１０２に記憶させておいた該エラーにおける内容や状態（エラーコード、エラー名称、エラー時の検出値、制御状態など）、エラーによる調整項目への影響の判断結果（実行せずにスキップした調整項目、実行したものの信頼性が低下した調整項目など）、エラー回復のため処理内容を、操作表示部１０３に表示させる（図７中のステップＳ７１２）。この表示については、既に図４，図５，図６で示したように行う。
【００８６】
すなわち、一連の複数項目の調整に関して複数の障害を有する場合であっても、エラーが発生しても自動調整モードを中断せずに実行することで、エラー停止、修復、動作再開、エラー停止、修復、動作再開、〜、というように、連続して修復とエラー停止状態とを交互にを繰り返す動作がなくなり、画像形成装置の複数項目の連続的な自動調整において複数の項目でエラーが発生しても装置停止時間による不便さを利用者に対して与えることがなくなる。
【００８７】
そして、自動実行した調整動作においてエラーを発生した項目についての表示を制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容を後に確認することが可能になる。
【００８８】
〔第三の実施形態〕
以下、第三の実施形態として、図９と図１０の具体例を用いて動作説明を行う。ここでは、各色毎の画像補正、全色の色ずれに関するカラーレジスト補正、全色を検知するカラーセンサ補正の順に、複数の項目の調整を自動実行する自動調整モードについて説明する。
【００８９】
ここでは、エラー発生によって自動調整モードを中断させないだけでなく、エラーの影響を受ける調整項目についてはスキップする実施形態について説明を行う。
エラー発生とスキップ有無との関係としては、たとえば、以下のように定めることができる。
【００９０】
(1)感光体上のトナー濃度を読み取るセンサの補正でエラーが発生した場合には、電位調整と露光電位調整は実施するものの、ガンマ補正と濃度補正とは実施せずスキップして次の調整項目に移る。
【００９１】
(2)ある色の画像調整内で電位補正や露光電位補正やガンマ補正でエラーが発生した場合、同色の次の画像調整は実行しない。
(3)ある色の画像調整で一つでもエラーが発生した場合、カラーセンサ補正は実行しない。
【００９２】
なお、これ以外にも、エラーが発生した場合の影響で、補正が正確に行えない調整項目についてはスキップすることが望ましい。
まず、制御部１０１は、画像形成装置１００の電源オン時などのタイミングで、画像形成装置１００内の予め定められた部位（被調整部位）に対して複数の項目の調整を自動実行する自動調整モードを開始する。この場合、制御部１０１は記憶部１０２の記憶内容を参照し、自動調整モードで実行すべき調整項目を選択する。
【００９３】
ここで、制御部１０１は、各色の画像補正として、まず、イエローＹについての画像補整を実行する（図９中のステップＳ９０１）。この色毎の画像補整としては、各色毎の、各種センサ補正、電位補正、露光電位補正、ガンマ補正、濃度補正、などが該当する。
【００９４】
この画像補整として、まず制御部１０１は、ガンマセンサ、Ｄmaxセンサなど、画像の濃度を読み取る各種センサの補正を実行する（図１０中のステップＳ１００１）。
このセンサ補正でエラーが発生すれば（図１０中のステップＳ１００２でＮＯ）、そのエラーの内容やエラー時の測定値を制御部１０１は記憶部１０２に記憶させる（図１０中のステップＳ１００３）。
【００９５】
なお、センサ補正でエラーが生じない場合（図１０中のステップＳ１００２でＹＥＳ）だけでなく、エラーが発生した場合（図１０中のステップＳ１００２でＮＯ）にも、制御部１０１は、自動調整モードを中断させることなく、自動調整モードで実行すべき次の調整項目として電位補正として電位センサの補正を実行する（図１０中のステップＳ１００４）。
【００９６】
この電位補正でエラーが発生すれば（図１０中のステップＳ１００５でＮＯ）、そのエラーの内容やエラー時の測定値を制御部１０１は記憶部１０２に記憶させ（図１０中のステップＳ１００６）、上記(2)の基準のように、これ以後の調整を実行しない（図１０中のエンド）。
【００９７】
なお、電位補正でエラーが生じない場合（図１０中のステップＳ１００５でＹＥＳ）には、自動調整モードで実行すべき次の調整項目として露光電位補正として感光体の帯電電位の補正を実行する（図１０中のステップＳ１００７）。
【００９８】
この露光電位補正でエラーが発生すれば（図１０中のステップＳ１００８でＮＯ）、そのエラーの内容やエラー時の測定値を制御部１０１は記憶部１０２に記憶させ（図１０中のステップＳ１００９）、上記(2)の基準のように、これ以後の調整を実行しない（図１０中のエンド）。
【００９９】
なお、露光電位補正でエラーが生じない場合（図１０中のステップＳ１００８でＹＥＳ）であって、上記のセンサ補正でエラーが発生していない場合（図１０中のステップＳ１０１０でＹＥＳ）には、制御部１０１は、自動調整モードで実行すべき次の調整項目としてガンマ補正として各濃度のトナー像を形成して適正なガンマ特性が得られるように各部の補正を実行する（図１０中のステップＳ１０１１）。
【０１００】
また、上記のセンサ補正でエラーが発生していれば（図１０中のステップＳ１０１０でＮＯ）、上記(1)の基準により、電位調整と露光電位調整は実施するものの、ガンマ補正と濃度補正とは実施せずスキップする（図１０中のエンド）。
【０１０１】
このガンマ補正でエラーが発生すれば（図１０中のステップＳ１０１２でＮＯ）、そのエラーの内容やエラー時の測定値を制御部１０１は記憶部１０２に記憶させ（図１０中のステップＳ１０１３）、上記(2)の基準のように、これ以後の調整を実行しない（図１０中のエンド）。
【０１０２】
なお、ガンマ補正でエラーが生じない場合（図１０中のステップＳ１０１２でＹＥＳ）には、制御部１０１は、自動調整モードで実行すべき次の調整項目として濃度補正として所定の濃度のトナー像を形成して適正な濃度特性が得られるように各部の補正を実行する（図１０中のステップＳ１０１４）。
【０１０３】
この濃度補正でエラーが発生すれば（図１０中のステップＳ１０１５でＮＯ）、そのエラーの内容やエラー時の測定値を制御部１０１は記憶部１０２に記憶させる（図１０中のステップＳ１０１６）。
【０１０４】
このように、各種の補正でエラーが生じない場合だけでなく、エラーによって後続の調整項目に悪影響を与えない状況ではエラーが発生した場合にも、制御部１０１は、自動調整モードを中断させることなく、自動調整モードで実行すべき次の調整項目を選択して、画像補整を完了させる（図１０中のエンド）。また、エラーによって後続の調整項目に悪影響を与える状況では、調整動作を中断せずに、後続の調整項目をスキップして、画像補整を完了させる（図１０中のエンド）。
【０１０５】
そして、制御部１０１は、以上の図９の画像補正の処理をイエローＹに続いて、マゼンタＭ、シアンＣ、黒Ｋの各色について順次実行する（図９中のステップＳ９０１、Ｓ９０２、Ｓ９０３、Ｓ９０４）。
【０１０６】
この後、制御部１０１は、全色の色ずれに関するカラーレジスト補正を実行する（図９中のステップＳ９０５）。
このカラーレジスト補正でエラーが発生すれば（図９中のステップＳ９０６でＮＯ）、そのエラーの内容やエラー時の測定値を制御部１０１は記憶部１０２に記憶させる（図９中のステップＳＳ９０７）。
【０１０７】
なお、カラーレジスト補正でエラーが生じない場合（図９中のステップＳ９０６でＹＥＳ）だけでなく、カラーレジスト補正でエラーが発生した場合（図９中のステップＳ９０６でＮＯ）にも、制御部１０１は、上記画像補正のいずれかでエラーが発生したか否かを調べる（図９中のステップＳ９０８）。
【０１０８】
ここで、カラーレジスト補正でエラーが生じない場合（図９中のステップＳ９０６でＹＥＳ）だけでなく、カラーレジスト補正でエラーが発生した場合（図９中のステップＳ９０６でＮＯ）であっても、上記画像補正のいずれかでエラーが発生していなければ（図９中のステップＳ９０８で、なし）、自動調整モードを中断させることなく、自動調整モードで実行すべき次の調整項目として、全色を検知するカラーセンサ補正として各色で所定のトナー像を形成して適正な特性が得られるように各部の補正を実行する（図１０中のステップＳ９０９）。
【０１０９】
一方、カラーレジスト補正でエラーが生じない場合（図９中のステップＳ９０６でＹＥＳ）だけでなく、カラーレジスト補正でエラーが発生した場合（図９中のステップＳ９０６でＮＯ）であっても、上記画像補正のいずれかでエラーが発生していれば（図９中のステップＳ９０８で、あり）、上記(3)の基準のように、これ以後の調整を実行せずにエラー表示を行う（図９中のステップＳ９１３）。
【０１１０】
このカラーセンサ補正でエラーが発生すれば（図９中のステップＳ９１０でＮＯ）、そのエラーの内容やエラー時の測定値を制御部１０１は記憶部１０２に記憶させる（図９中のステップＳＳ９１１）。
【０１１１】
ここで、以上の画像補正（図９中のステップＳ９０１、Ｓ９０２、Ｓ９０３、Ｓ９０４）、カラーレジスト補正（図９中のステップＳ９０５）、カラーセンサ補正（図９中のステップＳ９０９）のいずれでもエラーが発生していない場合には（図９中のステップＳ９１２で、なし）、制御部１０１は、自動調整モードを終了する（図９中のエンド）。
【０１１２】
また、以上の画像補正（図９中のステップＳ９０１、Ｓ９０２、Ｓ９０３、Ｓ９０４）、カラーレジスト補正（図９中のステップＳ９０５）、カラーセンサ補正（図９中のステップＳ９０９）の一連の自動調整モードを実行し、その中のいずれかでエラーが発生している場合には、（図９中のステップＳ９１２で、あり）制御部１０１は、記憶部１０２に記憶させておいた該エラーにおける内容や状態（エラーコード、エラー名称、エラー時の検出値、制御状態など）、エラーによる調整項目への影響の判断結果（実行せずにスキップした調整項目、実行したものの信頼性が低下した調整項目など）、エラー回復のため処理内容を、操作表示部１０３に表示させる（図９中のステップＳ９１２）。この表示については、既に図４，図５，図６で示したように、制御部１０１が操作表示部１０３に対して行う。
【０１１３】
以上説明したように、一連の複数項目の調整に関して複数の障害を有する場合であっても、エラーが発生しても自動調整モードを中断せずに実行することで、エラー停止、修復、動作再開、エラー停止、修復、動作再開、〜、というように、連続して修復とエラー停止状態とを交互にを繰り返す動作がなくなり、画像形成装置の複数項目の連続的な自動調整において複数の項目でエラーが発生しても装置停止時間による不便さを利用者に対して与えることがなくなる。
【０１１４】
そして、自動実行した調整動作においてエラーを発生した項目についての表示を制御部１０１が操作表示部１０３に行うことにより、画像形成装置の複数項目の連続的な自動調整において複数の項目でエラーが発生しても装置停止時間による不便さを利用者に対して与えることがなくなり、その際に発生した複数項目のエラーの内容を後に確認することが可能になる。
【０１１５】
また、自動実行した調整動作においてエラーを発生した項目によって影響を受け、実行が困難になるか、あるいは、調整を正しく行えない項目については、スキップすることで調整動作を停止させないように制御部１０１が制御しており、これにより、画像形成装置の複数項目の連続的な自動調整において複数の項目でエラーが発生しても装置停止時間による不便さを利用者に対して与えることがなくなり、さらに、単純な強制実行でないため、全体として意味のある調整が連続して実行されることになる。
【０１１６】
〔その他の実施形態〕
以上の各実施形態において、各種ネットワークを介したリモート管理システムによるメンテナンスを実行する際には、制御部１０１は、ネットワークを介したリモート管理システムの端末に対して、図４〜図６に類似したエラー内容などの各種表示画面を表示すればよい。
【図面の簡単な説明】
【０１１７】
【図１】本発明の実施形態の画像形成装置の構成を示すブロック図である。
【図２】本発明の第一実施形態の画像形成装置の動作状態を説明するフローチャートである。
【図３】本発明の実施形態の画像形成装置の構成を示す断面構成図である。
【図４】本発明の実施形態の画像形成装置における表示画面の例を示す説明図である。
【図５】本発明の実施形態の画像形成装置における表示画面の例を示す説明図である。
【図６】本発明の実施形態の画像形成装置における表示画面の例を示す説明図である。
【図７】本発明の第一実施形態の画像形成装置の動作状態を説明するフローチャートである。
【図８】本発明の第一実施形態の画像形成装置の動作状態を説明するフローチャートである。
【図９】本発明の第二実施形態の画像形成装置の動作状態を説明するフローチャートである。
【図１０】本発明の第二実施形態の画像形成装置の動作状態を説明するフローチャートである。
【図１１】従来の画像形成装置における表示画面の例を示す説明図である。
【符号の説明】
【０１１８】
１００  画像形成装置
１０１  制御部
１０２  記憶部
１０３  操作表示部
１０５  スキャナ部
１０７  画像処理部
１０９  画像形成部
【図１】
0005088482.tif 000002
【図２】
0005088482.tif 000003
【図３】
0005088482.tif 000004
【図４】
0005088482.tif 000005
【図５】
0005088482.tif 000006
【図６】
0005088482.tif 000007
【図７】
0005088482.tif 000008
【図８】
0005088482.tif 000009
【図９】
0005088482.tif 000010
【図１０】
0005088482.tif 000011
【図１１】
0005088482.tif 000012